(57)【要約】【課題】２つのバッテリを装着可能な動力工具において、バッテリ装着部に関する改良技術を提供する。【解決手段】動力工具であるハンマドリル１００は、本体部１０１、ハンドグリップ１０９および２つのバッテリ装着部１６０Ａ，１６０Ｂを有している。２つのバッテリ１６０Ａ，１６０Ｂは、本体部１０１および／またはハンドグリップ１０９を介して離間した２箇所にそれぞれ配置される。【選択図】  図２
2014148013.tif 000002
【特許請求の範囲】
【請求項１】
着脱可能に取り付けられた先端工具を当該先端工具の駆動軸に対して駆動させる動力工具であって、
前記工具ビットを駆動するためのモータと、
前記モータを収容する工具本体と、
前記工具本体に連接するハンドルと、
前記モータに電流を供給するためのバッテリが着脱可能に装着されるバッテリ装着部とを有し、前記バッテリ装着部は２つ形成されており、前記バッテリ装着部に装着された前記バッテリから前記モータに対して電流を供給可能に構成されており、
２つの前記バッテリ装着部は、前記工具本体および／または前記ハンドルが介在して離間した２箇所にそれぞれ設けられていることを特徴とする動力工具。
【請求項２】
請求項１に記載の動力工具であって、
前記ハンドルは、前記駆動軸が延在する駆動軸延在方向に交差するハンドル延在方向に延在するように設けられており、前記ハンドル延在方向に関する少なくとも一方の端部が前記工具本体に連接するように構成されており、
２つの前記バッテリ装着部のうち一方の前記バッテリ装着部は、前記ハンドル延在方向に関する前記ハンドルの他方の端部に設けられていることを特徴とする動力工具。
【請求項３】
請求項２に記載の動力工具であって、
２つの前記バッテリ装着部のうち他方の前記バッテリ装着部は、前記ハンドル延在方向に関して前記工具本体の一方側に設けられていることを特徴とする動力工具。
【請求項４】
請求項３に記載の動力工具であって、
２つの前記バッテリ装着部のうち他方の前記バッテリ装着部は、前記工具本体において、前記駆動軸に対して一方の前記バッテリ装着部と同じ側に設けられていることを特徴とする動力工具。
【請求項５】
請求項２〜４のいずれか１項に記載の動力工具であって、
前記モータは、当該モータの回転軸と前記駆動軸が平行に設けられていることを特徴とする動力工具。
【請求項６】
請求項５に記載の動力工具であって、
前記ハンドルは、作業者に把持されるグリップ部を有し、
前記グリップ部は、前記駆動軸上に設けられていることを特徴とする動力工具。
【請求項７】
請求項５に記載の動力工具であって、
前記ハンドルは、一端側が前記工具本体に連接するグリップ部と、当該グリップ部の他端側と前記工具本体を連結する補強部材を有しており、
２つの前記バッテリ装着部のうち他方の前記バッテリ装着部は、前記補強部材に設けられていることを特徴とする動力工具。
【請求項８】
請求項２に記載の動力工具であって、
前記モータは、当該モータの回転軸と前記駆動軸が交差するように設けられており、
２つの前記バッテリ装着部のうち他方の前記バッテリ装着部は、前記駆動軸延在方向に関して、前記モータの、一方の前記バッテリ装着部とは反対側に設けられていることを特徴とする動力工具。
【請求項９】
請求項１に記載の動力工具であって、
前記ハンドルは、前記駆動軸延在方向に交差するハンドル延在方向に延在するように設けられており、
２つの前記バッテリ装着部は、前記駆動軸延在方向と前記ハンドル延在方向の両方に交差する交差方向において、前記工具本体の両側に設けられていることを特徴とする動力工具。
【請求項１０】
請求項１〜９のいずれか１項に記載の動力工具であって、
前記バッテリ装着部はバッテリ係合部を有し、前記バッテリが前記バッテリ係合部に係合することによって前記バッテリを保持するように構成されており、
前記バッテリ係合部は、前記駆動軸と前記ハンドル延在方向に延在する前記ハンドルのハンドル延在軸によって形成される仮想面に平行な方向に延在するように構成されており、
前記バッテリ装着部には、前記仮想面に平行な方向に、前記バッテリが前記バッテリ係合部に対して摺動することで装着されるように構成されていることを特徴とする動力工具。
【発明の詳細な説明】
【技術分野】
【０００１】
本発明は、被加工材に所定の加工作業を行う動力工具に関する。
【背景技術】
【０００２】
特開２０１１−１６１６０２号公報には、２つのバッテリパックを装着可能な電動工具が開示されている。当該電動工具においては、２つのバッテリパックを装着するためのバッテリ装着部が、バッテリの装着方向に対して直交する方向に並んで配置されている。
【先行技術文献】
【特許文献】
【０００３】
【特許文献１】特開２０１１−１６１６０２号公報
【発明の概要】
【発明が解決しようとする課題】
【０００４】
しかしながら、特開２０１１−１６１６０２号公報に記載された電動工具は、２つのバッテリ装着部を隣接して配置しているため、装着されたバッテリパックが電動工具の操作に支障とならない位置に配置する必要がある。すなわち、バッテリ装着部の配置に関して制限があり、この点において改良の余地がある。そこで、本発明は、上記に鑑みてなされたものであり、２つのバッテリを装着可能な動力工具において、バッテリ装着部に関する改良技術を提供することを目的とする。
【課題を解決するための手段】
【０００５】
上記課題を達成するため、本発明に係る動力工具の好ましい形態によれば、着脱可能に取り付けられた先端工具を当該先端工具の駆動軸に対して駆動させる動力工具が構成される。動力工具は、先端工具を駆動するためのモータと、モータを収容する工具本体と、工具本体に連接するハンドルと、モータに電流を供給するためのバッテリが着脱可能に装着されるバッテリ装着部と、を有する。そして、バッテリ装着部は２つ形成されており、バッテリ装着部に装着されたバッテリからモータに対して電流を供給可能に構成されている。２つのバッテリ装着部は、工具本体および／またはハンドルが介在して離間した２箇所にそれぞれ設けられている。ここで工具本体および／またはハンドルが介在して離間した２箇所とは、ハンドル上の２箇所、工具本体上の２箇所、あるいはハンドル上の１箇所と工具本体上の１箇所のいずれの構成も好適に包含する。
【０００６】
本発明によれば、２つのバッテリ装着部が離間して配置されるため、２つのバッテリ装着部が隣合わせで配置される構成、すなわち２つのバッテリが隣合わせで配置される構成に比べて、バッテリ装着部の配置に関して自由度が高くなる。その結果、工具本体上あるいはハンドル上のスペースを有効に利用することができる。また、２つのバッテリ装着部が互いに離間した位置に設けられているため、バッテリ装着部に装着されたバッテリを効率よく冷却することができる。
【０００７】
本発明に係る動力工具の更なる形態によれば、ハンドルは、駆動軸が延在する駆動軸延在方向に交差するハンドル延在方向に延在するように設けられており、ハンドル延在方向に関する少なくとも一方の端部が工具本体に連接するように構成されている。そして、２つのバッテリ装着部のうち一方のバッテリ装着部は、ハンドル延在方向に関するハンドルの他方の端部に設けられている。
【０００８】
本形態によれば、バッテリ装着部がハンドルの端部に配置されるため、ハンドル端部のスペースを有効に利用することができる。
【０００９】
本発明に係る動力工具の更なる形態によれば、２つのバッテリ装着部のうち他方のバッテリ装着部は、ハンドル延在方向に関して工具本体の一方側に設けられている。本形態における他方のバッテリ装着部の配置は、他方のバッテリ装着部が、ハンドル延在方向に関して、工具本体の一方のバッテリ装着部と同じ側に配置される態様と、ハンドル延在方向に関して、工具本体の一方のバッテリ装着部とは反対側に配置される態様を好適に包含する。
【００１０】
本形態によれば、他方のバッテリ装着部の配置に関して、工具本体上のスペースを有効に利用することができる。
【００１１】
本発明に係る動力工具の更なる形態によれば、２つのバッテリ装着部のうち他方のバッテリ装着部は、工具本体のうち、駆動軸に対して一方のバッテリ装着部と同じ側に設けられている。
【００１２】
本形態によれば、２つのバッテリ装着部を駆動軸に対して工具本体の同じ側に設けることができる。したがって、工具本体の同じ側に装着されたバッテリから電流を供給するための工具本体内の電気配線を簡略化することができる。
【００１３】
本発明に係る動力工具の更なる形態によれば、モータは、当該モータの回転軸と駆動軸が平行に設けられている。すなわち、モータの回転軸と駆動軸が平行である形態の動力工具が構成される。
【００１４】
本発明に係る動力工具の更なる形態によれば、ハンドルは、作業者に把持されるグリップ部を有しており、グリップ部は、駆動軸上に設けられている。
【００１５】
本形態によれば、被加工材に対して加工を行う際に、作業者が駆動軸上に設けられたグリップ部に力を付与することができる。これにより、加工作業の際にグリップ部に付与された作業者の力が被加工材まで合理的に伝達される。
【００１６】
本発明に係る動力工具の更なる形態によれば、ハンドルは、一端側が工具本体に連接するグリップ部と、当該グリップ部の他端側と前記工具本体を連結する補強部材を有する。そして、２つのバッテリ装着部のうち他方のバッテリ装着部は、補強部材に設けられている。
【００１７】
本形態によれば、補強部材によってグリップ部を補強することができる。したがって、加工作業の際にグリップ部に付与された作業者の力が被加工材まで合理的に伝達される。また、補強部材にバッテリ装着部を設けることで、補強部材上のスペースを有効に利用することができる。
【００１８】
本発明に係る動力工具の更なる形態によれば、モータは、当該モータの回転軸と駆動軸が交差するように設けられている。そして、２つのバッテリ装着部のうち他方のバッテリ装着部は、駆動軸延在方向に関して、モータの、一方のバッテリ装着部とは反対側に設けられている。
【００１９】
本形態によれば、先端工具の駆動軸延在方向において、２つのバッテリ装着部を、モータを挟んで配置することができる。これにより、バッテリ装着部の配置に関して、モータの前方と後方のスペースを有効に利用することができる。
【００２０】
本発明に係る動力工具の更なる形態によれば、ハンドルは、駆動軸延在方向に交差するハンドル延在方向に延在するように設けられている。そして、２つのバッテリ装着部は、駆動軸延在方向とハンドル延在方向の両方に交差する交差方向において、工具本体の両側に設けられている。
【００２１】
本形態によれば、２つのバッテリ装着部が、工具本体の両側に設けられるため、工具本体側面のスペースを有効に利用することができる。
【００２２】
本発明に係る動力工具の更なる形態によれば、バッテリ装着部はバッテリ係合部を有し、バッテリがバッテリ係合部に係合することによってバッテリを保持するように構成されている。このバッテリ係合部は、駆動軸とハンドル延在方向に延在するハンドルのハンドル延在軸によって形成される仮想面に平行な方向に延在するように構成されている。そして、バッテリ装着部には、仮想面に平行な方向に、バッテリがバッテリ係合部に対して摺動することで装着されるように構成されている。バッテリ係合部は、仮想面に平行な方向に延在するように構成されていれば、それぞれのバッテリ装着部に形成されたバッテリ係合部は、互いに交差するように設けられていてもよく、一方で互いに平行に設けられていてもよい。
【００２３】
本形態によれば、駆動軸とハンドル延在軸によって形成される仮想面に平行な方向に、バッテリをバッテリ係合部に対して摺動させることで、バッテリを装着することができる。とりわけ、バッテリの長軸方向がバッテリ係合部の長軸方向に一致する構成においては、仮想面に交差する方向における動力工具の大きさを小さくすることができる。
【発明の効果】
【００２４】
本発明によれば、２つのバッテリを装着可能な動力工具において、バッテリ装着部に関する改良技術を提供することができる。
【図面の簡単な説明】
【００２５】
【図１】本発明の第１実施形態に係るハンマドリルの全体構成を示す模式図である。
【図２】図１のハンマドリルにバッテリパックが装着された状態を示す模式図である。
【図３】バッテリパックを示す斜視図である。
【図４】バッテリパックを示す平面図である。
【図５】図３のＣ矢視図である。
【図６】図３のＤ矢視図である。
【図７】本発明の第２実施形態に係るハンマドリルの全体構成及び当該ハンマドリルにバッテリパックが装着された状態を示す模式図である。
【図８】本発明の第３実施形態に係るハンマドリルの全体構成及び当該ハンマドリルにバッテリパックが装着された状態を示す側面図である。
【図９】図８のＥ矢視図である。
【図１０】本発明の第４実施形態に係るハンマドリルの全体構成及び当該ハンマドリルにバッテリパックが装着された状態を示す模式図である。
【図１１】本発明の第５実施形態に係るハンマドリルの全体構成及び当該ハンマドリルにバッテリパックが装着された状態を示す側面図である。
【図１２】図１１のＦ矢視図である。
【図１３】本発明の第６実施形態に係るハンマドリルの全体構成及び当該ハンマドリルにバッテリパックが装着された状態を示す模式図である。
【図１４】本発明の第７実施形態に係るハンマドリルの全体構成及び当該ハンマドリルにバッテリパックが装着された状態を示す模式図である。
【図１５】本発明の第８実施形態に係るハンマドリルの全体構成及び当該ハンマドリルにバッテリパックが装着された状態を示す模式図である。
【発明を実施するための最良の形態】
【００２６】
（第１実施形態）
以下、本発明の第１実施形態につき、図１〜図６を参照しつつ詳細に説明する。本発明の実施形態は、動力工具の一例としてバッテリ式ハンマドリルを用いて説明する。図１に示すように、ハンマドリル１００は、ハンマビット１１９を長軸方向に直線動作及び長軸方向回りに回転動作させて、被加工材に対して穴明けやハツリ等の加工を行う打撃工具である。このハンマビット１１９が、本発明における「先端工具」に対応する実施構成例である。
【００２７】
ハンマドリル１００は、概括的に見て、ハンマドリル１００の外郭を形成する本体部１０１を主体として構成される。本体部１０１の先端領域には、ハンマビット１１９が筒状のツールホルダ１５９を介して着脱自在に取付けられる。ハンマビット１１９は、その長軸方向への相対的な往復動が可能に、かつその周方向への相対的な回動が規制された状態でツールホルダ１５９に保持される。
【００２８】
本体部１０１は、モータハウジング１０３およびギアハウジング１０５を主体として構成されている。モータハウジング１０３は、電動モータ１１０を収容している。ギアハウジング１０５は、運動変換機構１２０、打撃要素１４０及び動力伝達機構１５０を収容している。ハンマビット１１９の長軸方向に関して本体部１０１のハンマビット１１９と反対側には、作業者が握るハンドグリップ１０９が連接されている。なお、本実施形態では、便宜上、ハンマビット１１９の長軸方向、すなわち本体部１０１の長軸方向に関して、ハンマビット１１９側を、「前側」ないし「前方側」として規定し、ハンドグリップ１０９側を、「後側」ないし「後方側」として規定する。また、図１の上方を、「上側」ないし「上方側」と規定し、図１の下方を、「下側」ないし「下方側」と規定する。
【００２９】
すなわち、本体部１０１は、ハンマビット１１９の長軸方向に関して、前方にギアハウジング１０５が配置され、後方にモータハウジング１０３が配置されている。さらに、モータハウジング１０３の後方にハンドグリップ１０９が配置されている。この本体部１０１が、本発明における「工具本体」に対応する実施構成例である。また、ハンドグリップ１０９が、本発明における「ハンドル」に対応する実施構成例である。
【００３０】
電動モータ１１０は、回転軸がハンマビット１１９の長軸方向と平行になるように配置されている。この電動モータ１１０が、本発明における「モータ」に対応する実施構成例である。
【００３１】
電動モータ１１０の回転出力は、運動変換機構１２０によって直線動作に適宜変換された上で打撃要素１４０に伝達され、当該打撃要素１４０を介してハンマビット１１９に対して、当該ハンマビット１１９の長軸方向（図１の左右方向）への衝撃力を発生させる。また、電動モータ１１０の回転出力は、動力伝達機構１５０によって適宜減速された上でハンマビット１１９に伝達され、当該ハンマビット１１９が周方向に回転動作される。すなわち、ハンマビット１１９の長軸方向に一致する当該ハンマビット１１９の駆動軸が構成されている。したがって、ハンマビット１１９の長軸方向が、駆動軸が延在する駆動軸延在方向として規定される。なお、電動モータ１１０は、ハンドグリップ１０９に配置されたトリガの引き操作によって通電駆動される。運動変換機構１２０、打撃要素１４０および動力伝達機構１５０の詳細な構成については、便宜上説明を省略する。
【００３２】
ハンドグリップ１０９は、グリップ部１０９Ａとサポート部材１０７を主体として構成されている。グリップ部１０９Ａは、ハンマビット１１９の長軸方向に交差する図１の上下方向（ハンドル延在方向とも称す）に延在するように、ハンマビット１１９の打撃軸線上に配置されている。したがって、被加工材に対して加工を行う際に、作業者が駆動軸上に設けられたグリップ部に力を付与することができる。これにより、加工作業の際にグリップ部１０９Ａに付与された作業者の力が被加工材まで合理的に伝達される。このグリップ部１０９Ａが、本発明における「グリップ部」に対応する実施構成例である。
【００３３】
グリップ部１０９Ａの上端はモータハウジング１０３の上部に連接し、グリップ部１０９Ａの下端はサポート部材１０７に連接している。また、サポート部材１０７の上端は、モータハウジング１０３に連接している。これにより、ハンドグリップ１０９において、サポート部１０７がグリップ部１０９Ａを補強している。このサポート部材１０７が、本発明における「補強部材」に対応する実施構成例である。
【００３４】
ハンドグリップ１０９の下端部には、バッテリを装着するためのバッテリ装着部１６０Ａが形成されている。また、モータハウジング１０３の下部には、バッテリ装着部１６０Ｂが形成されている。すなわち、バッテリ装着部１６０Ａとバッテリ装着部１６０Ｂは、ハンドグリップ１０９および本体部１０１のモータハウジング１０３を介して配置されている。これにより、バッテリ装着部１６０Ａとバッテリ装着部１６０Ｂが離間した２箇所にそれぞれ配置されている。２個のバッテリ装着部１６０Ａ，１６０Ｂのそれぞれには、電動モータ１１０に電流を供給するためのバッテリパック１７０Ａ，１７０Ｂが着脱自在に装着されるように構成されている。このバッテリ装着部１６０Ａ，１６０Ｂが、本発明における「バッテリ装着部」に対応する実施構成例である。また、バッテリパック１７０Ａ，１７０Ｂが、本発明における「バッテリ」に対応する実施構成例である。
【００３５】
図１に示すように、バッテリ装着部１６０Ａ，１６０Ｂには、それぞれバッテリ１７０Ａ，１７０Ｂと係合可能なガイドレール１６１と、バッテリパック１７０Ａ，１７０Ｂのフック１７５が係止可能な凹状の係止部（図示省略）と、バッテリパック１７０Ａ，１７０Ｂのターミナル１７９が電気的に接続されるターミナル（図示省略）が設けられている。このガイドレール１６１は、ハンマビット１１９の長軸方向に平行に設けられている。換言すると、ガイドレール１６１は、ハンマビット１１９の駆動軸とグリップ部１０９Ａが延在する延在軸によって形成される仮想面に対して平行な方向に延在している。これにより、バッテリパック１７０Ａは、ハンマビット１１９の長軸方向に平行な図２における矢印１Ａの方向に摺動してバッテリ装着部１６０Ａに装着され、バッテリパック１７０Ｂは、ハンマビット１１９の長軸方向に平行な図２における矢印１Ｂの方向に摺動してバッテリ装着部１６０Ｂに装着される。このガイドレール１６１が、本発明における「バッテリ係合部」に対応する実施構成例である。
【００３６】
図３〜図６は、バッテリパック１７０Ａ，１７０Ｂの詳細を示している。図３に示すように、バッテリパック１７０Ａ，１７０Ｂは、概略的には略直方形のバッテリケース１７１と、バッテリケース１７１内に収容される複数の電池セル（便宜上図示を省略する）とを主体として構成される。バッテリパック１７０Ａ，１７０Ｂは、各バッテリ装着部１６０Ａ，１６０Ｂの下面に沿ってスライドすることによってバッテリ装着部１６０Ａ，１６０Ｂに着脱自在に装着される。このバッテリパック１７０Ａ，１７０Ｂは同じ形状であり、いずれのバッテリ装着部１６０Ａ，１６０Ｂにも装着可能である。
【００３７】
図３に示すように、バッテリケース１７１の上面側には、バッテリ１７０Ａ，１７０Ｂの長手方向に沿って直線状に延びる一対の装着ガイド１７３が設けられている。この装着ガイド１７３は、バッテリ装着部１６０Ａ，１６０Ｂのガイドレール１６１と係合するように構成されている。
【００３８】
また、図３〜図６に示すように、バッテリケース１７１の上面中央部には、バッテリ１７０Ａ，１７０Ｂをバッテリ装着部１６０Ａ，１６０Ｂに対してロックするためのフック１７５とロックを解除するための押しボタン１７７が設けられている。フック１７５は、バッテリケース１７１の上面から突出するようにバネ（便宜上図示を省略する）によって付勢されている。また、押しボタン１７７は、バッテリケース１７１の装着方向後側に配置されており、押しボタン１７７が押されたときに、フック１７５がバッテリケース１７１の上面から引っ込む方向へ移動するように、フック１７５と機械的に連結されている。
【００３９】
図２に示すように、バッテリ１７０Ａ，１７０Ｂがバッテリ装着部１６０Ａ，１６０Ｂに装着されると、フック１７５がバッテリ装着部１６０Ａ，１６０Ｂの係止部と係合して、バッテリ１７０Ａ，１７０Ｂがバッテリ装着部１６０Ａ，１６０Ｂに対して固定される。このとき、バッテリ１７０Ａ，１７０Ｂのターミナル１７９がバッテリ装着部１６０Ａ，１６０Ｂのターミナルと電気的に接続され、ハンマドリル１００に対して電流の供給が可能となる。
【００４０】
第１実施形態によれば、それぞれのバッテリ装着部１６０Ａ，１６０Ｂにバッテリパック１７０Ａ，１７０Ｂが着脱可能に装着されるため、ハンマドリル１００が、例えば３６Ｖ仕様の場合であれば、１８Ｖのバッテリパック１７０Ａ，１７０Ｂがそれぞれ装着されて、電気的に直列に接続される。１８Ｖのバッテリパックは、３６Ｖのバッテリパックに比べて軽いため、作業者は、バッテリパック１７０Ａ，１７０Ｂの着脱作業を簡単に行うことが可能となる。なお、ハンマドリル１００が、例えば１８Ｖ仕様の場合であれば、２つのバッテリパック１７０Ａ、１７０Ｂは電気的に並列に接続されるように構成されていてもよい。さらに、ハンマドリル１００が３６Ｖと１８Ｖのどちらの電圧でも駆動可能である場合には、バッテリパック１７０Ａ，１７０Ｂの接続態様を直列と並列との間で切り替えるように構成されていてもよい。この場合には、作業者によってバッテリパック１７０Ａ，１７０Ｂの接続態様を切り替え可能な切替スイッチを設けることが好ましい。
【００４１】
また、一般にバッテリパック１７０Ａ，１７０Ｂは、一方に長い略直方形に形成される。第１実施形態によれば、それぞれのバッテリ装着部１６０Ａ，１６０Ｂのガイドレール１６１は、ハンマビット１１９の長軸方向に延在するように設けられており、バッテリパック１７０Ａ，１７０Ｂは、ハンマビット１１９の長軸方向に摺動することで、バッテリパック１７０Ａ，１７０Ｂの長手方向がハンマビット１１９の長軸方向に一致してバッテリ装着部１６０Ａ，１６０Ｂにそれぞれ装着される。したがって、２つのバッテリパックを装着可能なハンマドリル１００において、当該ハンマドリル１００の左右方向（ハンマビット１１９の長軸方向に交差する方向）の長さを短くすることができる。
【００４２】
また、第１実施形態によれば、バッテリパック１７０Ａ，１７０Ｂの装着ガイド１７３をバッテリ装着部１６０Ａ，１６０Ｂのガイドレール１６１に沿って摺動させることで、バッテリパック１７０Ａ，１７０Ｂをバッテリ装着部１６０Ａ，１６０Ｂに装着する装着作業を容易に行うことができる。
【００４３】
また、第１実施形態によれば、バッテリ装着部１６０Ａ，１６０Ｂは離間した位置に設けられているため、バッテリパック１７０Ａ，１７０Ｂが離間した位置で装着される。したがって、バッテリ装着部１６０Ａ，１６０Ｂに装着されたバッテリパック１７０Ａ，１７０Ｂを効率よく冷却することができる。
【００４４】
また、第１実施形態によれば、バッテリ装着部１６０Ａはハンドグリップ１０９の下部に配置され、バッテリ装着部１６０Ｂはモータハウジング１０３の下部に配置されており、ハンマドリル１００による加工作業に支障のないスペースを利用することで、ハンマドリル１００に対して複数のバッテリ装着部を合理的に配置することができる。
【００４５】
（第２実施形態）
次に、第２実施形態につき、図７を参照しつつ説明する。第２実施形態におけるハンマドリル１００は、第１実施形態のハンマドリル１００に対して、バッテリ装着部１６０Ｂの配置場所が異なる。バッテリ装着部１６０Ｂ以外の構成については、第１実施形態のハンマドリル１００と同様の構成であり、同じ符号を付して説明を省略する。
【００４６】
図７に示すように、第２実施形態においては、ハンドグリップ１０９が延在する図７の上下方向（ハンドル延在方向）における本体部１０１の下部（図７の下方）にバッテリ装着部１６０Ａが配置され、本体部１０１の上部（図７の上方）にバッテリ装着部１６０Ｂが配置されている。バッテリパック１７０Ａは、図７における矢印２Ａの方向に摺動してバッテリ装着部１６０Ａに装着され、バッテリパック１７０Ｂは、図７における矢印２Ｂの方向に摺動してバッテリ装着部１６０Ｂに装着される。なお、矢印２Ａおよび矢印２Ｂの方向は、ハンマビット１１９の駆動軸が延在する駆動軸延在方向に平行な方向である。なお、第２実施形態においては、バッテリパック１７０Ａ，１７０Ｂの装着方向は、互いに異なる方向であるが、バッテリパック１７０Ａ，１７０Ｂの装着方向が一致していてもよい。一方で、バッテリパック１７０Ａは矢印２Ｂの方向に摺動してバッテリ装着部１６０Ａに装着され、バッテリパック１７０Ｂは矢印２Ａの方向に摺動してバッテリ装着部１６０Ｂに装着されるように、それぞれのバッテリ装着部１６０Ａ，１６０Ｂが構成されていてもよい。
【００４７】
（第３実施形態）
次に、第３実施形態につき、図８，図９を参照しつつ説明する。第３実施形態におけるハンマドリル１００は、第１実施形態のハンマドリル１００に対して、バッテリ装着部１６０Ａ，１６０Ｂの配置場所が異なる。バッテリ装着部１６０Ａ，１６０Ｂ以外の構成については、第１実施形態のハンマドリル１００と同様の構成であり、同じ符号を付して説明を省略する。
【００４８】
図８，図９に示すように、第３実施形態においては、ハンマビット１１９の長軸方向（図８の左右方向）およびハンドグリップ１０９が延在する方向（図８の上下方向）の両方の方向に交差する方向（図９の左右方向）において、本体部１０１の両側にバッテリ装着部１６０Ａ，１６０Ｂがそれぞれ配置されている。バッテリパック１７０Ａ，１７０Ｂは、図８における矢印３Ａの方向に摺動してそれぞれのバッテリ装着部１６０Ａ，１６０Ｂに装着される。なお、矢印３Ａの方向は、ハンマビット１１９の駆動軸が延在する駆動軸延在方向に平行な方向である。
【００４９】
（第４実施形態）
次に、第４実施形態につき、図１０を参照しつつ説明する。第４実施形態におけるハンマドリル１００は、第１実施形態のハンマドリル１００に対して、モータハウジング１０３の形状、電動モータ１１０の配置方向、およびバッテリ装着部１６０Ａ，１６０Ｂの配置場所が異なる。上記構成以外の構成については、第１実施形態のハンマドリル１００と同様の構成であり、同じ符号を付して説明を省略する。
【００５０】
図１０に示すように、電動モータ１１０は、電動モータ１１０の回転軸とハンマビット１１９の駆動軸が交差するように配置されている。この電動モータ１１０を収容するモータハウジング１０３は、ギアハウジング１０５から図１０の下方に延在するように形成されている。
【００５１】
第４実施形態のハンマドリル１００において、バッテリ装着部１６０Ａは、ハンドグリップ１０９が延在する方向（図１０の上下方向）におけるハンドグリップ１０９の下部に配置されている。一方、バッテリ装着部１６０Ｂは、モータハウジング１０３の前方にモータハウジング１０３に沿って配置されている。換言すると、ハンマビット１１９の長軸方向において、バッテリ装着部１６０Ａ，１６０Ｂは電動モータ１１０を挟んで配置される。
【００５２】
バッテリパック１７０Ａは、矢印４Ａの方向に摺動してバッテリ装着部１６０Ａに装着され、バッテリパック１７０Ｂは、矢印４Ｂの方向に摺動してバッテリ装着部１６０Ｂに装着される。なお、矢印４Ａおよび矢印４Ｂの方向は、ハンマビット１１９の駆動軸とハンドグリップ１０９のグリップ部１０９Ａが延在する延在軸によって形成される仮想面に対して平行な方向である。
【００５３】
（第５実施形態）
次に、第５実施形態につき、図１１、図１２を参照しつつ説明する。第５実施形態におけるハンマドリル１００は、第４実施形態のハンマドリル１００に対して、バッテリ装着部１６０Ａ，１６０Ｂの配置場所、および付加装置装着部１８０を有する点が異なる。バッテリ装着部１６０Ａ，１６０Ｂの配置場所以外の構成については、第４実施形態のハンマドリル１００と同様の構成であり、同じ符号を付して説明を省略する。
【００５４】
第５実施形態のハンマドリル１００において、２つのバッテリ装着部１６０Ａ，１６０Ｂは、ハンマビット１１９の長軸方向（図１１の左右方向）およびハンドグリップ１０９が延在する方向（図１１の上下方向）の両方の方向に交差する方向（図１２の左右方向）において、本体部１０１の両側にそれぞれ配置される。バッテリパック１７０Ａ，１７０Ｂは、図１１における矢印５Ａの方向に摺動してそれぞれのバッテリ装着部１６０Ａ，１６０Ｂに装着される。なお、矢印５Ａの方向は、ハンマビット１１９の駆動軸が延在する駆動軸延在方向に平行な方向である。
【００５５】
また、第５実施形態においては、ハンドグリップ１０９の下部に付加装置装着部１８０が形成されている。この付加装置装着部１８０には係合部（図示省略）が形成されており例えば、バッテリパック１７０Ａ，１７０Ｂよりも大型のバッテリパックや、集塵装置などが係合部と係合して保持される。
【００５６】
（第６実施形態）
次に、第６実施形態につき、図１３を参照しつつ説明する。第６実施形態におけるハンマドリル１００は、第１実施形態のハンマドリル１００に対して、ハンドグリップ１０９の本体部１０１に対する連接場所およびバッテリ装着部１６０Ａ，１６０Ｂの配置場所が異なる。上記構成以外の構成については、第１実施形態のハンマドリル１００と同様の構成であり、同じ符号を付して説明を省略する。
【００５７】
第６実施形態においては、図１３に示すように、ハンドグリップ１０９はモータハウジング１０３の下部に連接されている。グリップ部１０９は、モータハウジング１０３の下部からハンマビット１１９の長軸方向に交差する図１３の上下方向（ハンドル延在方向）に延在するように設けられている。グリップ部１０９Ａの上端はモータハウジング１０３に連接し、グリップ部１０９Ａの下端はサポート部材１０７に連接している。また、サポート部材１０７の上端は、モータハウジング１０３に連接している。これにより、ハンドグリップ１０９において、サポート部１０７がグリップ部１０９Ａを補強している。
【００５８】
第６実施形態のハンマドリル１００において、バッテリ装着部１６０Ａは、ハンドグリップ１０９が延在する方向（図１３の上下方向）におけるハンドグリップ１０９の下部に配置されている。一方、バッテリ装着部１６０Ｂは、サポート部材１０７の前方にサポート部材１０７に沿って配置されている。バッテリパック１７０Ａは、矢印６Ａの方向に摺動してバッテリ装着部１６０Ａに装着され、バッテリパック１７０Ｂは、矢印６Ｂの方向に摺動してバッテリ装着部１６０Ｂに装着される。なお、矢印６Ａおよび矢印６Ｂの方向は、ハンマビット１１９の駆動軸とハンドグリップ１０９のグリップ部１０９Ａが延在する延在軸によって形成される仮想面に対して平行な方向である。
【００５９】
（第７実施形態）
次に、第７実施形態につき、図１４を参照しつつ説明する。第７実施形態におけるハンマドリル１００は、第６実施形態のハンマドリル１００に対して、サポート部材１０７が設けられておらず、さらにバッテリ装着部１６０Ｂの配置場所が異なる。サポート部材１０７とバッテリ装着部１６０Ｂの配置場所以外の構成については、第６実施形態のハンマドリル１００と同様の構成であり、同じ符号を付して説明を省略する。
【００６０】
第７実施形態のハンマドリル１００において、バッテリ装着部１６０Ａは、ハンドグリップ１０９が延在する図１４の上下方向（ハンドル延在方向）におけるハンドグリップ１０９の下部に配置されている。一方、バッテリ装着部１６０Ｂは、本体部１０１の下部（モータハウジング１０３およびギアハウジング１０５の下部）に配置されている。バッテリパック１７０Ａは、矢印７Ａの方向に摺動してバッテリ装着部１６０Ａに装着されるように構成され、バッテリパック１７０Ｂは、矢印７Ｂの方向に摺動してバッテリ装着部１６０Ｂに装着される。なお、矢印７Ａおよび矢印７Ｂの方向は、ハンマビット１１９の駆動軸とハンドグリップ１０９のグリップ部１０９Ａが延在する延在軸によって形成される仮想面に対して平行な方向である。
【００６１】
以上の第２実施形態から第７実施形態においても、第１実施形態と同様の効果を奏する。さらに、第２、第３、第５実施形態によれば、バッテリ１７０Ａ，１７０Ｂがハンマビット１１９の駆動軸を挟んで配置されるため、ハンマドリル１００の重心を駆動軸に近づけることができる。
【００６２】
（第８実施形態）
次に、第８実施形態につき、図１５を参照しつつ説明する。第８実施形態におけるハンマドリル１００は、第１実施形態のハンマドリル１００に対して、バッテリ装着部が１つのみ設けられている点が異なる。バッテリ装着部以外の構成については、第１実施形態のハンマドリル１００と同様の構成であり、同じ符号を付して説明を省略する。
【００６３】
第８実施形態のハンマドリル１００において、バッテリ装着部１６０Ａは、本体部１０１の下部（モータハウジング１０３の下部）に配置されている。このバッテリ装着部１６０Ａには、電動モータ１１０を駆動するために必要な電圧に応じたバッテリパック１０７Ａが装着される。バッテリパック１７０Ａは、矢印８Ａの方向に摺動してバッテリ装着部１６０Ａに装着されるように構成されている。なお、矢印８Ａの方向は、ハンマビット１１９の駆動軸が延在する駆動軸延在方向に平行な方向である。
【００６４】
第８実施形態によれば、バッテリ装着部１６０Ａはモータハウジング１０３に設けられているため、ハンマドリル１００の重心をハンマビット１１９の駆動軸に近づけることができる。また、バッテリ装着部１６０Ａを装着するために、ハンマドリル１００の本体部１０１上のスペースを有効に利用することができる。
【００６５】
以上においては、バッテリパック１７０Ａ，１７０Ｂは、ハンマビット１１９の駆動軸とハンドグリップ１０９のグリップ部１０９Ａが延在する延在軸によって形成される仮想面に対して平行な方向に摺動してバッテリ装着部１６０Ａ，１６０Ｂに装着されるように構成されていたが、これには限られない。例えば、バッテリパック１７０Ａ，１７０Ｂが上記仮想面に交差する方向に摺動されてバッテリ装着部１６０Ａ，１６０Ｂに装着されるように構成されていてもよい。換言すると、本発明においてはバッテリパック１７０Ａ，１７０Ｂの装着方向は限定されない。
【００６６】
また、以上においては、動力工具の一例として、ハンマビット１１９が打撃動作と回転動作を行うハンマドリル１００として説明したが、これには限られない。例えば、打撃工具としてハンマビット１１９が打撃動作のみを行うハンマに本発明を適用することも可能である。また、ハンマビット１１９が回転動作のみを行うドリルに本発明を適用することも可能である。その他にも、電動ドライバ、電動レンチ、電動グラインダ、電動レシプロソー、電動ジグソーに本発明を適用することも可能である。
【００６７】
上記発明の趣旨に鑑み、本発明に係る動力工具は、下記の態様が構成可能である。
（態様１）
「着脱可能に取り付けられた先端工具を当該先端工具の駆動軸に対して駆動させる動力工具であって、
前記工具ビットを駆動するためのモータと、
前記モータを収容する工具本体と、
前記モータに電流を供給するためのバッテリが着脱可能に装着されるバッテリ装着部とを有し、前記バッテリ装着部は２つ形成されており、前記バッテリ装着部に装着された前記バッテリから前記モータに対して電流を供給可能に構成されており、
２つの前記バッテリ装着部は、前記駆動軸が延在する方向において離間して配置されていることを特徴とする動力工具。」
【００６８】
（態様２）
「着脱可能に取り付けられた先端工具を当該先端工具の駆動軸に対して駆動させる動力工具であって、
前記工具ビットを駆動するためのモータと、
前記モータを収容する工具本体と、
前記モータに電流を供給するためのバッテリが着脱可能に装着されるバッテリ装着部とを有し、前記バッテリ装着部は２つ形成されており、前記バッテリ装着部に装着された前記バッテリから前記モータに対して電流を供給可能に構成されており、
２つの前記バッテリ装着部は、前記駆動軸が延在する方向に交差する方向おいて離間して配置されていることを特徴とする動力工具。」
【００６９】
（態様３）
「態様１または２に記載の動力工具であって、
前記バッテリ装着部は、バッテリ係合部を有し、前記バッテリが前記バッテリ係合部に係合することによって前記バッテリを保持するように構成されており、
前記バッテリ係合部は、前記駆動軸に沿うように構成されていることを特徴とする打撃工具。」
【００７０】
（本実施形態の各構成要素と本発明の各構成要素の対応関係）
本実施形態の各構成要素と本発明の各構成要素の対応関係を以下の通り示す。なお、本実施形態は、本発明を実施するための形態の一例を示すものであり、本発明は、本実施形態の構成に限定されるものではない。
本体部１０１が、本発明の「工具本体」に対応する構成の一例である。
ハンマビット１１９が、本発明の「工具ビット」に対応する構成の一例である。
電動モータ１１０が、本発明の「モータ」に対応する構成の一例である。
バッテリ装着部１６０Ａ，１６０Ｂが、本発明の「バッテリ装着部」に対応する構成の一例である。
サポート部材１０７が、本発明の「補強部材」に対応する構成の一例である。
ハンドグリップ１０９が、本発明の「ハンドル」に対応する構成の一例である。
ガイドレール１６１が、本発明の「バッテリ係合部」に対応する構成の一例である。
【符号の説明】
【００７１】
１００  ハンマドリル
１０１  本体部
１０３  モータハウジング
１０５  ギアハウジング
１０７  サポート部材
１０９  ハンドグリップ
１０９Ａ  グリップ部
１１０  電動モータ
１１９  ハンマビット
１２０  運動変換機構
１４０  打撃要素
１５０  動力伝達機構
１５９  ツールホルダ
１６０  装着部
１６０Ａ  バッテリ装着部
１６０Ｂ  バッテリ装着部
１６１  ガイドレール
１７０Ａ  バッテリパック
１７０Ｂ  バッテリパック
１７１  バッテリケース
１７３  装着ガイド
１７５  フック
１７７  押しボタン
１７９  ターミナル
１８０  付加装置装着部
【図１】
2014148013.tif 000003
【図２】
2014148013.tif 000004
【図３】
2014148013.tif 000005
【図４】
2014148013.tif 000006
【図５】
2014148013.tif 000007
【図６】
2014148013.tif 000008
【図７】
2014148013.tif 000009
【図８】
2014148013.tif 000010
【図９】
2014148013.tif 000011
【図１０】
2014148013.tif 000012
【図１１】
2014148013.tif 000013
【図１２】
2014148013.tif 000014
【図１３】
2014148013.tif 000015
【図１４】
2014148013.tif 000016
【図１５】
2014148013.tif 000017